(57)【要約】【課題】発呼元端末が指定する着信設定の優先度にもとづいて、着呼先端末のユーザに対する着信通知パターンを変化させることを可能にする。【解決手段】発呼元端末１が着呼先端末３の電話番号に着信設定の優先度を示す番号を付加して着呼先端末３へ送信し、着呼先端末３は、送信された前記番号から着信設定の優先度を検出するとともに、この優先度に応じた着信動作を実行する。【選択図】図２
2008141243.tif 000002
【特許請求の範囲】
【請求項１】
発呼元端末から発呼により送信される発呼元を示す情報に着呼先端末における着信の優先度を示す情報を付加して着呼先端末へ送信し、
前記着呼先端末は、送信された前記情報から着信設定の優先度を検出するとともに、この優先度に応じた着信通知動作を実行することを特徴とする着信設定通信方法。
【請求項２】
前記着呼先端末では、着信した情報に含まれる発呼元を示す情報に応じて前記着信の優先度に重み付けをすることを特徴とする請求項１に記載の着信設定通信方法。
【請求項３】
前記着信の優先度を示す情報が最も高い優先度を示す情報である場合には、前記着呼先端末側において前記重み付けを行わないことを特徴とする請求項２に記載の着信設定通信方法。
【請求項４】
前記着信の優先度を示す情報が最も低い優先度を示す情報である場合には、前記着呼先端末側において前記重み付けを行わないことを特徴とする請求項２又は３に記載の着信設定通信方法。
【請求項５】
発呼元端末から発呼により送信される発呼元を示す情報に付加した着信の優先度を示す情報を検出する優先度情報検出手段と、
前記優先度情報検出手段で検出された前記優先度を示す情報に応じて着信の優先度を検出する優先度検出部と、
前記優先度検出部で得られた優先度に応じて着信通知動作を制御する着信動作制御手段と、
を備えることを特徴とする通信端末。
【請求項６】
着信情報に含まれる発呼元を示す情報にもとづき、前記着信の優先度に重み付けをして優先度の変換を行う優先度変換手段を備えることを特徴とする請求項５に記載の通信端末。
【請求項７】
請求項５又は６に記載の通信端末を着呼先端末とする発呼元の通信端末であって、
発呼により送信される発呼元を示す情報に前記着呼先端末における着信の優先度を示す情報を付加する付加手段と、
前記付加手段により前記優先度を示す情報を付加した情報を前記着呼先端末へ送信する送信手段と、
を備えることを特徴とする通信端末。
【発明の詳細な説明】
【技術分野】
【０００１】
本発明は、発呼元端末が発呼する着信設定の優先度に従って着呼先端末の着信通知パターンを変化させる着信設定通信方法および通信端末に関する。
【背景技術】
【０００２】
従来から、発呼元端末から着呼先端末の着信設定を変更する技術が提案されている（例えば、特許文献１参照）。この技術は、部屋などで自分の携帯電話機を紛失してしまった際に、自分が別の電話機から自分の携帯電話機に発呼を行い、携帯電話機の着信通知(音)をもとに紛失した携帯電話機の所在を特定する場合に利用される。この場合の発呼元端末が制御する着呼先端末の具体的な着信設定としては、自動的に着信音量を最大にしたり、バイブレータを長時間動作させたり、マナーモードを解除する、といった設定変更がある。
【０００３】
また、発呼元端末から着呼先端末の着信設定を変更する別の技術が提案されている（例えば、特許文献２参照）。この技術は、着呼先端末において設定する対象が音声、音楽、テキスト、画像といったデータファイルなどの再生を想定しており、電話機本来の着信通知機能よりも、エンターテイメント性を重視し、発呼元の自己主張や自己表現を満足させるというものである。
【特許文献１】特開２００２‐３１４６４１号公報
【特許文献２】特開２００２‐０２７０３４号公報
【発明の開示】
【発明が解決しようとする課題】
【０００４】
しかしながら、従来の着呼先端末の着信設定通信方法は以上のように実施されるものであるため、上記特許文献１の着信設定通信方法では、紛失した携帯電話機の探索が目的であるが故に、携帯電話機の着信設定変更に発呼元端末でのトーン操作が必要になったり、E メールでの認証操作が必要になったりするため、電話機本来の利便性が大きく損なわれるという不都合があった。
【０００５】
また、上記特許文献２の着信設定通信方法では、前記の通りエンターテイメント的な利用を想定しているが故に、発呼元端末側から着呼先携帯端末に対し、着信までに膨大なデータファイルを送付しなければならない。このため、発着呼処理が遅延する上に、通信データ料金の負担が必要になるなど、実用性に欠ける。また、着呼先のユーザの都合に応じて着信設定を変更するという使用方法ではない。
さらに、この技術においては、発呼元が最新の高機能携帯端末などであることを想定しており、昔ながらの黒電話機のように情報処理能力がない端末からの着信設定に関しては対応できないという不都合があった。
【０００６】
本発明は、上記の問題点を解決するためになされたものであり、発呼元端末から発呼により送信される発呼元を示す情報に、着呼先端末における着信設定の優先度（プライオリティ）を示す情報を付加して送信することにより、着呼先端末において前記優先度に従った着信制御を簡単に実施可能にし、これにより電話機の利便性を高めるとともに、黒電話機を含む旧来の電話機からの着信設定も行うことができる着信設定通信方法および通信端末を得ることを目的とする。
【課題を解決するための手段】
【０００７】
上記目的達成のために、本発明に係る着信設定通信方法は、発呼元端末から発呼により送信される発呼元を示す情報に着呼先端末における着信の優先度を示す情報を付加して着呼先端末へ送信し、前記着呼先端末は、送信された前記情報から着信設定の優先度を検出するとともに、この優先度に応じた着信通知動作を実行することを特徴とする（請求項１）。
これにより、着呼先端末は、発呼元端末が指定する着信設定の優先度にもとづいて、着呼先端末のユーザに対する着信通知パターンを変化させることができ、前記ユーザは意識的または無意識的に発呼元端末が発信する着信設定の優先度を知ることができる。
【０００８】
また、本発明に係る着信設定通信方法は、前記着呼先端末では、着信した情報に含まれる発呼元を示す情報に応じて前記着信の優先度に重み付けをすることを特徴とする（請求項２）。
これにより、着呼先端末のユーザの都合に合わせて、発呼者対応で前記優先度を補正可能にし、着信通知パターンの適正化を図ることができる。
【０００９】
また、本発明に係る着信設定通信方法は、前記着信の優先度を示す情報が最も高い優先度を示す情報である場合には、前記着呼先端末側において前記重み付けを行わないことを特徴とする（請求項３）。
これにより、緊急を要する用件を通知する場合には、着呼先端末のいかなる状態に拘わらず、着呼先端末のユーザが着信に気付く可能性を最大限に高めることができる。
【００１０】
また、本発明に係る着信設定通信方法は、前記着信の優先度を示す情報が最も低い優先度を示す情報である場合には、前記着呼先端末側において前記重み付けを行わないことを特徴とする（請求項４）。
これにより、発呼者側が指定した着信の優先度を示す情報が最も低い優先度を示す情報である場合には、着呼先端末の重み付けを行わないので、発呼者が誰であっても、着信通知のパターンやレベルは最小に設定されるため、発呼者は相手（着呼先）に迷惑をかけないようにすることができる。
【００１１】
また、本発明に係る通信端末は、発呼元端末から発呼により送信される発呼元を示す情報に付加した着信の優先度を示す情報を検出する優先度情報検出手段と、前記優先度情報検出手段で検出された前記優先度を示す情報に応じて着信の優先度を検出する優先度検出部と、前記優先度検出部で得られた優先度に応じて着信通知動作を制御する着信動作制御手段と、を備えることを特徴とする（請求項５）。
上記構成により、着呼先端末側での煩わしい操作や作業を伴うことなく発呼元端末からの着信設定の優先度に従って、着信動作制御手段が着信設定レベルやパターンを最適に自動設定することができ、携帯電話機の利便性が高めることができるとともに、例えば、上記優先度を示す情報をダイヤルする数字（番号）で伝達できれば、旧来の黒電話機からも、着信設定の優先度をダイヤルした数字（番号）で指定できる。
【００１２】
また、本発明に係る通信端末は、着信情報に含まれる発呼元を示す情報にもとづき、前記着信の優先度に重み付けをして優先度の変換を行う優先度変換手段を備えることを特徴とする（請求項６）。
上記構成により、発呼者と着呼先端末のユーザとの優先度に対する考え方のギャップを、着呼先端末側で調整することができ、これによって着呼先ユーザが発呼者対応の最適の着信通知パターンにて発呼を安心して受けることができる。
【００１３】
また、本発明に係る通信端末は、請求項５又は６に記載の端末を着呼先端末とする発呼元の通信端末であって、発呼により送信される発呼元を示す情報に前記着呼先端末における着信の優先度を示す情報を付加する付加手段と、前記付加手段により前記優先度を示す情報を付加した情報を前記着呼先端末へ送信する送信手段と、を備えることを特徴とする（請求項７）。
上記構成により、着呼先端末側での煩わしい操作や作業を伴うことなく発呼元端末からの着信設定の優先度に従って、着呼先端末の着信設定レベルやパターンを最適に自動設定することができる。
【発明の効果】
【００１４】
本発明によれば、発呼元端末が発呼する着信設定の優先度（プライオリティ）に従って着呼先端末の着信通知パターンを変化させることで、着呼先端末において前記優先度に従った着信制御を簡単に実施でき、これにより電話機の利便性を高めるとともに、黒電話機を含む旧来の電話機からの着信設定の優先度をも指定することができるという効果が得られる。
【発明を実施するための最良の形態】
【００１５】
以下、本発明の実施の形態を、図面を参照しながら説明する。
本発明は、発呼元端末である発呼元携帯電話機が、着呼先端末である着呼先携帯電話機の電話番号に着信設定の優先度（プライオリティ）を示す情報である数字（番号）を付加して着呼先携帯電話機へ送信し、この着呼先携帯電話機が、送信された前記番号から着信設定の優先度を検出するとともに、この優先度に応じた着信動作を実行するというものである。これにより、前記着呼先携帯電話機が、発呼元端末が指定する着信設定の優先度にもとづいて、着呼先携帯電話機のユーザに対する着信通知パターンを変化させることができ、ユーザは意識的または無意識的に発呼元端末が発信する着信設定の優先度のレベルやパターンによる発呼を知ることができる。
【００１６】
このような着信設定通信方法は、図１に示す発呼元端末としての発呼元電話機１と、この発呼元電話機１にネットワーク（公衆網）２を介して接続された着呼先端末としての着呼先携帯電話機３とで構成された通信システム上で実行される。発呼元電話機１では、着呼先携帯電話機３に固有の電話番号、例えば「０９０‐ＡＡＡＡ−ＢＢＢＢ」をプッシュ操作またはダイヤル操作することにより、プッシュトーンやダイヤルパルスを発信させて、着呼先携帯電話機３に対し発呼を行うことができる。なお、前記「Ａ」、「Ｂ」はそれぞれ電話番号を示す一桁の数字である。
【００１７】
また、本実施の形態では、発呼元電話機１からは、着呼先携帯電話機３の前記電話番号「０９０‐ＡＡＡＡ−ＢＢＢＢ」に続けて、認証用番号、例えば「ＸＸＸＸ」と、着信設定の優先度を示す情報である番号、例えば「ＹＹ」とが付加された「０９０‐ＡＡＡＡ‐ＢＢＢＢ−ＸＸＸＸ‐ＹＹ」として、プッシュトーンまたはダイヤルパルスにて着呼先携帯電話機３に送信される。認証用番号「ＸＸＸＸ」は、着呼先携帯電話機３側で予め指定されている。優先度を示す番号「ＹＹ」は、例えば、「００（重要度最小）」、「０１（重要度小）」〜「０９（重要度大）」および「９９（重要度最大）」として指定される。
【００１８】
図２は、図１に示す通信システムの詳細を示すブロック図である。図２において、発呼元電話機１は、電話番号入力部１１と、電話番号信号発生部１２と、通信インタフェース部１３とを備えている。
電話番号入力部１１は、着呼先携帯電話機３の電話番号、認証用番号、着信設定の優先度を示す番号が連続する「０９０‐ＡＡＡＡ‐ＢＢＢＢ‐ＸＸＸＸ‐ＹＹ」をテンキーやダイヤルの操作によって入力するように機能する。ここでは、着呼先携帯電話機３（着呼先端末）における着信の優先度を示す番号（情報）「ＹＹ」を付加する付加手段としても機能する。
電話番号信号発生部１２は、入力された前記一連の番号に応じたプッシュトーン信号やダイヤルパルスを発生するように機能する。
通信インタフェース部１３は、前記プッシュトーンやダイヤルパルスを公衆網２へ送出するように機能する。ここでは、優先度を示す情報を付加した番号（情報）「ＹＹ」を着呼先携帯電話機３（着呼先端末）へ送信する送信手段としても機能する。
【００１９】
一方、着呼先携帯電話機３は、制御部３１と、一時記憶メモリ３２と、内部メモリ３３と、通信インタフェース部３４と、電話番号検出部３５と、ユーザインタフェース部３６とを備えている。これらのうち、制御部３１は、本実施の形態において、前記各部３２〜３６と間のデータ制御のほか、後述の着信設定処理を実行するように機能する。一時記憶メモリ３２は、発呼元電話機１から送信された認証用番号「ＸＸＸＸ」と内部メモリ３３に予め格納された認証番号「ｘｘｘｘ」とが一致した場合に、前記着信設定の優先度を示す番号を一時記憶するように機能する。
【００２０】
内部メモリ３３は、認証番号「ｘｘｘｘ」、着呼先携帯電話機３の電話帳３７、発呼者対応の後述の重み付け情報などを格納している。通信インタフェース部３４は、発呼元電話機１とのデータ通信を管理するように機能する。電話番号検出部３５は、通信インタフェース部３４を通して発呼元電話機１から送信されるプッシュトーン信号やダイヤルパルスを検出するように機能する。
また、ユーザインタフェース部３６は、着呼先携帯電話機３側に設けられた表示装置、着信音発生部、バイブレータ、着信通知用ＬＥＤ点灯部と制御部３１との間での信号の入出力を、制御部３１の制御下で管理するように機能する。
【００２１】
さらに、着信設定処理を実行する制御部３１は、図３に示すように、番号検出手段４１と、発呼者情報検出手段４２と、優先度検出手段４３と、着呼優先度変換手段４４と、着信動作制御手段４５と、を備えている。これらのうち、番号検出手段４１は、発呼元電話機１で着呼先携帯電話機３の電話番号に付加された着信設定の優先度を示す後述の番号「ＹＹ」を検出するように機能する。優先度検出手段４３は、前記番号検出手段４１で検出された前記番号に応じて着信設定の優先度を検出（決定）するように機能する。
【００２２】
発呼者情報検出手段４２は、発呼元である発呼元電話機１から発呼により送信される情報（発呼元の電話番号）が着呼先携帯電話機３の内部メモリに記憶された電話帳３７に予め記憶されたものかどうかを検出するように機能する。
着呼優先度変換手段４４は、上記発呼者情報検出手段４２によって検出された発呼元の電話番号が着呼先携帯電話機３の電話帳３７に予め記憶されたものであった場合は、この電話帳３７に記載された名前から発呼者を特定し、この特定された発呼者に関連付けられた発呼者情報（発呼者毎に予め設定された重み付け情報）にもとづき前記着信設定の優先度に重み付けをするように機能する。
着信動作制御手段４５は、前記優先度検出（決定）手段４３または着呼優先度変換手段４４で得られた優先度に応じて着呼設定のレベルまたはパターンを切り替えるように機能する。
【００２３】
次に、前記通信システムにおける着信設定通信方法について、図３に示すフローチャートを参照しながら説明する。
発呼元電話機１から着呼先携帯電話機３に対し電話を掛ける場合には、まず、発呼元電話機１は、着呼先携帯電話機３の電話番号「０９０‐ＡＡＡＡ‐ＢＢＢＢ」に付加番号である認証用番号「ＸＸＸＸ」と、着信設定の優先度を決める番号「ＹＹ」を付加して、テンキー操作やダイヤル操作により発呼元電話機１の電話番号入力部１１に入力する。これらの番号入力によって電話番号信号発生部１２からは各番号に対応するプッシュトーン信号やダイヤルパルスが発生し、これらは通信インタフェース部１３から公衆網２へ送出される（ステップＳ１）。
【００２４】
一方、着呼先携帯電話機３では、前記電話番号および認証用番号とともに着信設定の優先度を決める番号が、公衆網２および通信インタフェース部３４を介して受信され、制御部３１の番号検出手段４１により検出される（ステップＳ２）。また、この制御部３１は、優先度を決める前記番号を受けて、着信設定の優先度指定モードに移行する（ステップＳ３）。ここで、着信設定とは、着呼先携帯電話機３側において予め設定されている着信音パターン、着信音量、バイブレーションのレベル、ＬＥＤの表示パターン等の着信通知パターンを含み、優先度はそのパターンの度合いやレベルの大小を数値（番号）で表したものである。
【００２５】
次に、制御部３１では、発呼者情報検出手段４２が前記優先度指定モードで、前記内部メモリ３３に予め格納されている認証番号「ｘｘｘｘ」を読み出し（ステップＳ４）、発呼元電話機１から送信された認証用番号「ＸＸＸＸ」がその認証番号「ｘｘｘｘ」と一致するか否かを判定する（ステップＳ５）。この判定の結果、一致しない場合には、優先モードでない通常の着信設定へ移行し（ステップＳ６）、通常の着信通知を行った上で（ステップＳ７）、待ち受け状態に戻る（ステップＳ８）。
【００２６】
一方、ステップＳ５で発呼元電話機１から送信された認証用番号「ＸＸＸＸ」が内部メモリ３３に格納された認証番号「ｘｘｘｘ」と一致した場合には（ステップＳ５）、優先度を示す番号「ＹＹ」を内部メモリ３３に一時格納し、さらに着信優先度検出手段４３により優先度を示す番号「ＹＹ」が最重要優先度の番号「９９」であるか否かを調べる（ステップＳ９）。
また、「ＹＹ」が最も低い優先度を示す番号「００」であるか、その他の各重要度に対応する優先度を示す番号、例えば「０１（重要度小）」〜「０９（重要度大）」のいずれかであるかを調べる（ステップＳ１０）。
最重要優先度の番号「９９」または最も低い優先度を示す番号「００」のどちらでもない場合には、発呼者情報検出手段４２は、発呼元である発呼元電話機１から発呼により送信される発呼元電話機１の電話番号が内部メモリ３３の電話帳３７にあるか否かを検索し（ステップＳ１１）、電話帳３７にない場合には、前述のステップＳ６〜Ｓ８の処理を実行する。
【００２７】
これに対して、発呼元電話機１の電話番号が内部メモリ３３の電話帳３７にある場合には、着呼優先度変換手段４４が発呼者を特定するとともに、この発呼者対応の重み付け情報を内部メモリ３３から読み出す（ステップ１２）。この重み付け情報は、発呼者の優先度指定傾向を着呼先携帯電話機３のユーザの意思により、優先度に対する両者のギャップを埋める目的で設定されるものである。
【００２８】
例えば、ある発呼者は、比較的重要でない事項の電話通話であるにも拘らず前記優先度を高くして発呼する傾向がある場合、このような発呼者に対しては、着呼先携帯機電話機３のユーザはこの発呼者に対し重み付け情報として、例えば係数０．５を設定する。これにより、着呼先携帯電話機３の着呼優先度変換手段４４は、発呼者が指定した優先度を示す番号「ＹＹ」を一時記憶メモリ３２から読み出し、これに先ほど読み出した重み付け情報の０．５を乗算した結果（ＹＹ×０．５）を、着信制御用番号「ＺＺ」とすることができる（ステップＳ１３）。例えば、ＹＹ＝０６である場合は、０６×０．５＝０３であるので、重み付けされた着信制御用番号「ＺＺ」はＺＺ＝０３となる。なお、上記乗算後の着信制御用番号が０３．５などの場合、小数点以下を切り捨て、または四捨五入などすればよい。
なお、上記係数０．５は一例であり、発呼者毎に対し重み付け情報が異なるので、発呼者毎に上記係数の数値は異なるものである。
【００２９】
着呼先携帯電話機３では、着信動作制御手段４５が着信制御用番号「ＺＺ」に従い着信設定を変更し（ステップＳ１４）、ユーザに着信通知を開始する（ステップＳ１５）。なお、着信設定用番号「ＹＹ」の着信設定は、予め設定されているものとし、着信音パターン、着信音量、バイブレーション、ＬＥＤの表示パターン設定などを含む。また、優先度指定モードにおける着信通知では、着呼先携帯電話機３の画面表示に優先度番号と着信制御番号を表示することとし、視覚的にも着呼先携帯電話機３のユーザに同着信の優先度を知らせることができる。
【００３０】
こうして着呼が行われ、通話が行われた後、通信断にされると（ステップＳ１６）、これまでの着信制御番号に応じた着信設定が破棄され、通常設定への変更がなされ（ステップＳ１７）、通常モードへ移行して（ステップＳ１８）、最終的に電話機の待ち受け状態に戻ることとなる（ステップＳ８）。
【００３１】
一方、ステップＳ９で優先度を示す番号「ＹＹ」が最重要優先度を示す番号「９９」であると判定された場合には、「ＺＺ＝９９」として着信設定を読み出し（ステップＳ１９）、ユーザに着信通知を行う（ステップＳ１５）。
【００３２】
また、ステップＳ１０で優先度を示す番号「ＹＹ」が最も低い優先度を示す番号「００」であると判定された場合には、「ＺＺ＝００」として着信設定を読み出し（ステップＳ２０）、ユーザに着信通知を行う（ステップＳ１５）。
このように、最優先度の着信設定の場合、および最も低い優先度の着信設定の場合には、優先度に対する重み付けは実施できない。
【００３３】
最優先度の着信設定「ＺＺ＝９９」の場合には、着信音量およびバイブレーションといった着信通知のパターンやレベルは最大に設定されており、これを着呼側で変更することはできない。このため、着呼先携帯電話機３のユーザに対し緊急連絡のための着呼を効果的に行わせることができる。
【００３４】
また、最も低い優先度の着信設定「ＺＺ＝００」の場合には、着信音量およびバイブレーションといった着信通知のパターンやレベルは最小に設定されており、これを着呼側で変更することはできない。例えば、着呼先携帯電話機３の着信音を最小の音量で鳴らしたり、あるいは、着信音を鳴らさずにマナーモード用バイブレータの振動のみにしたり、着信通知用ＬＥＤの点灯のみにしたりする。すなわち、着呼先携帯電話機３の重み付けを行わないので、発呼者が誰であっても、着信通知のパターンやレベルが最小に設定されるため、着呼先携帯電話機３側のユーザによる着信設定よりも控えめな着信通知を行うので、発呼者は相手（着呼先）に迷惑をかけないようにすることができる。
【００３５】
なお、前記認証用番号は、すべての前記優先度に対して有効としても良いし、一部の前記優先度に対してのみ有効としても良い。また、前記においては着呼先端末を、着呼先携帯電話機３である場合について説明したが、黒電話などの一般の家庭用電話機やＰＤＡなどへの適用も可能である。
【００３６】
このように、本実施の形態では、発呼元電話機１（発呼元端末）から発呼により送信される発呼元を示す情報に、着呼先携帯電話機３（着呼先端末）における着信の優先度を示す番号（情報）を付加して着呼先携帯電話機３（着呼先端末）へ送信し、着呼先携帯電話機３（着呼先端末）は、送信された前記番号（情報）から着信設定の優先度を検出するとともに、この優先度に応じた着信通知動作を実行することにより、発呼元電話機１が指定する着信設定の優先度にもとづいて、着呼先携帯電話機３のユーザに対する着信通知パターンを変化させることができ、さらに、着信した情報に含まれる発呼元を示す情報に応じて、着信の優先度に重み付けをすることにより、着呼先端末のユーザの都合に合わせて、発呼者対応で前記優先度を補正可能にし、着信通知パターンの適正化を図ることができる。
このように、ユーザは意識的または無意識的に発呼元電話機１が発信する着信設定の優先度のレベルやパターンによる発呼を知ることができる。また、着呼先携帯電話機３のユーザに対し緊急連絡のための着呼を効果的かつ確実に行わせることができる。あるいは、着信通知のパターンやレベルを最小に設定して、発呼者は相手（着呼先）に迷惑をかけないようにすることができる。
【産業上の利用可能性】
【００３７】
本発明は、発呼元端末から着呼先端末に送信された着信設定の優先度（プライオリティ）に従って着信制御を簡単に実施可能にし、これにより電話機の利便性を高めるとともに、黒電話機を含む旧来の電話機からの着信設定も行えるという効果を有し、発呼元端末が発呼する着信設定の優先度に従って着呼先端末の着信通知パターンを変化させる着信設定通信方法および通信端末等に有用である。
【図面の簡単な説明】
【００３８】
【図１】本発明の実施の形態による着信設定通信方法を実施する通信システムの概念図である。
【図２】図１に示す通信システムの概略構成を示すブロック図である。
【図３】図１における制御部の内部構成を示すブロック図である。
【図４】本発明による着信設定通信方法の実行手順を示すフローチャートである。
【符号の説明】
【００３９】
１  発呼元電話機（発呼元端末）
２  公衆網
３  着呼先携帯電話機（着呼先端末）
３１  制御部
３７  電話帳
４１  番号検出手段
４２  優先度検出手段
４３  発呼者情報検出手段
４４  着呼優先度変換手段
４５  着信動作制御手段
【図１】
2008141243.tif 000003
【図２】
2008141243.tif 000004
【図３】
2008141243.tif 000005
【図４】
2008141243.tif 000006